(57)【要約】【課題】小型化に対応でき、かつアンテナ受信感度が良好なアンテナ内蔵式電子時計を提供する。【解決手段】電波修正時計は、標準電波を受信するアンテナ２１と、受信された標準電波を処理する受信手段と、アンテナ２１および受信手段が内部に収納されるモジュールと、モジュールを内部に収容する外装ケースと、を具備した。そして、アンテナ２１は、長手形状を有するアモルファス箔２１４を複数積層して構成される磁性体コア２１１と、この磁性体コア２１１に巻装されるコイル２１２と、を備え、磁性体コア２１１は、複数の通常アモルファス箔２１４Ａと、通常アモルファス箔２１４Ａよりも長手方向に沿う寸法が大きい延出アモルファス箔２１４Ｂとを備えた。【選択図】図６
2009250947.tif 000002
【特許請求の範囲】
【請求項１】
外部無線情報を受信するアンテナと、前記アンテナで受信された前記外部無線情報を処理する受信手段と、前記アンテナおよび前記受信手段が内部に収納されるモジュールと、このモジュールが収納される外装ケースと、を具備したアンテナ内蔵式電子時計であって、
前記アンテナは、長手形状を有する磁性箔材を複数積層して構成される磁性体コアと、この磁性体コアの長手方向における略中心部に巻装されるコイルと、を備え、
前記磁性体コアを構成する複数の前記磁性箔材のうちの一部は、他より長手方向に沿う寸法が大きく形成される延出磁性箔材である
ことを特徴としたアンテナ内蔵式電子時計。
【請求項２】
請求項１に記載のアンテナ内蔵式電子時計において、
前記磁性体コアは、前記コイルが巻装されるコイル巻部と、前記コイル巻部の両端部から長手方向に沿って延出する一対のリード部と、を備え、
前記磁性箔材は、前記コイル巻部を形成するコイル巻形成部、およびこのコイル巻形成部の両端部から長手方向に沿って延出し、一対の前記リード部を形成する一対のリード形成部を備え、
前記延出磁性箔材は、一対の前記リード形成部の少なくともいずれか一方の延出寸法が、他の磁性箔材の前記リード形成部よりも長く形成される
ことを特徴としたアンテナ内蔵式電子時計。
【請求項３】
請求項１または請求項２に記載のアンテナ内蔵式電子時計において、
前記外装ケースは、風防ガラスを備え、
前記モジュールは、前記風防ガラスに対向して配設される文字板を備え、
前記磁性体コアは、時計の厚み方向に沿って前記磁性箔材が積層されて形成され、
前記延出磁性箔材は、前記時計の厚み方向における文字板側に配置される
ことを特徴としたアンテナ内蔵式電子時計。
【請求項４】
請求項１ないし請求項３のいずれかに記載のアンテナ内蔵式電子時計において、
前記アンテナの長手方向に沿って長手状に形成されるとともに、複数の前記磁性箔材を保持する通常保持部と、前記通常保持部の両端部から長手方向に沿って延出し、前記延出磁性箔材を保持する延出保持部とを有するアンテナ枠を備え、
時計厚み方向に沿う前記アンテナ枠における厚み寸法において、前記延出保持部の厚み寸法は、前記通常保持部の厚み寸法よりも小さく形成された
ことを特徴としたアンテナ内蔵式電子時計。
【発明の詳細な説明】
【技術分野】
【０００１】
本発明は、アンテナにより外部無線情報を受信可能なアンテナ内蔵式電子時計に関する。
【背景技術】
【０００２】
従来、外部から時刻情報を有する外部無線情報をアンテナにて受信し、時刻修正などの処理を実施する電波修正時計などのアンテナ内蔵式電子時計が知られている。このようなアンテナ内蔵式電子時計において、アンテナ特性を向上させるために、アンテナにおける集磁効果を向上させる各種構成が考えられている（例えば、特許文献１参照）。
【０００３】
特許文献１に記載の時計は、記載の腕時計は、コアと、コアを収納するコアケースと、コアケースに巻装されるコイルと、コアのコイルが巻装されていない位置に貼り付けられるアモルファス薄膜とを備えた構成が採られている。
【０００４】
【特許文献１】特開２００７−１８４８９４号公報
【発明の開示】
【発明が解決しようとする課題】
【０００５】
ところで、上記特許文献１に記載のような、コアにアモルファス箔膜を貼り付ける構成では、コアとアモルファス薄膜との間に隙間が生じるため、磁束損失が生じ、アンテナにおける受信感度が低下するという問題がある。
一方、集磁効果を高める構成としては、リード部全体を大きく形成するような構成も考えられる。しかしながら、腕時計などのように、限られたスペースにアンテナにて受信したデータを処理する回路部や、指針の駆動を実施する駆動機構、電源部などを配置する必要があり、アンテナの配置スペースが限られているため、リード部全体の大型化にも限界があるという問題がある。
【０００６】
本発明は、上記のような問題に鑑みて、小型化に対応でき、かつアンテナ受信感度が良好なアンテナ内蔵式電子時計を提供することを目的とする。
【課題を解決するための手段】
【０００７】
本発明のアンテナ内蔵式電子時計は、外部無線情報を受信するアンテナと、前記アンテナで受信された前記外部無線情報を処理する受信手段と、前記アンテナおよび前記受信手段が内部に収納されるモジュールと、このモジュールが収納される外装ケースと、を具備したアンテナ内蔵式電子時計であって、前記アンテナは、長手形状を有する磁性箔材を複数積層して構成される磁性体コアと、この磁性体コアの長手方向における略中心部に巻装されるコイルと、を備え、前記磁性体コアを構成する複数の前記磁性箔材のうち、少なくとも一部は、他より長手方向に沿う寸法が大きく形成される延出磁性箔材であることを特徴とする。
【０００８】
この発明によれば、アンテナの磁性体コアを形成する複数の磁性箔材のうちの一部、例えば、磁性体コアの端面を形成する一枚が他の磁性箔材よりも長手方向の長さ寸法が長い延出磁性箔材である。このため、この延出磁性箔材の延出面積分だけ、通常のアンテナよりも磁束線を効率よく集めることができる。また、延出磁性箔材の一方端にて集められた磁束線は、延出磁性箔材の他方端側まで、この延出磁性箔材中を通過することができる。したがって、延出磁性箔材から他の磁性箔材に移動する磁束線の量が減少するため、アンテナ特性も良好にできる。さらに、磁性体コアを形成する複数の磁性箔材のうちの一部のみが延出磁性箔材であるため、磁性体コア全体を延出する場合に比べて、省スペース化に貢献できる。
以上により、本発明により、限られたスペースで、良好な受信感度が得られるアンテナを提供することができる。
【０００９】
そして、本発明のアンテナ内蔵式電子時計では、前記磁性体コアは、前記コイルが巻装されるコイル巻部と、前記コイル巻部の両端部から長手方向に沿って延出する一対のリード部と、を備え、前記磁性箔材は、前記コイル巻部を形成するコイル巻形成部、およびこのコイル巻形成部の両端部から長手方向に沿って延出し、一対の前記リード部を形成する一対のリード形成部を備え、前記延出磁性箔材は、一対の前記リード形成部の少なくともいずれか一方の延出寸法が、他の磁性箔材の前記リード形成部よりも長く形成されることが好ましい。
この発明によれば、各磁性箔材のコイル形成部が積層されることでコイル巻部が形成され、各磁性箔材のリード形成部が積層されることでリード部が形成され、延出磁性箔材の１対のリード形成部は、他の磁性箔材のリード形成部よりも延出寸法が大きく形成される。ここで、延出磁性箔材は、一対のリード形成部のうちいずれか一方のみが他の磁性箔材よりも延出寸法が長くなるように形成されていてもよく、一対のリード形成部の双方の延出寸法が他の磁性箔材よりも延出寸法が長くなるように形成されていてもよい。すなわち、アンテナ内蔵式電子時計を構成する他の時計部材の配置位置に応じて少なくともいずれか一方のリード形成部の長さ寸法が他の磁性箔材よりも長く形成されていることで、十分に集磁効果を高めることができ、アンテナ特性を向上させることができる。
【００１０】
また、本発明のアンテナ内蔵式電子時計では、前記外装ケースは、風防ガラスを備え、前記モジュールは、前記風防ガラスに対向して配設される文字板を備え、前記磁性体コアは、時計の厚み方向に沿って前記磁性箔材が積層されて形成され、前記延出磁性箔材は、前記時計の厚み方向における文字板側に配置されることが好ましい。
この発明では、延出磁性箔材は、文字板側に設けられている。一般に、指針および文字板を備え、指針を駆動して時刻を表示させる腕時計では、モジュールの裏蓋側に指針を駆動させる駆動輪列や駆動モータなどの駆動機構、駆動を制御する回路部などが設けられている。したがって、文字板側に上記のように延出磁性箔材を配置することで、これらの駆動機構や回路部の配置スペースを圧迫することなく、限られたスペースにリード部を広げることができ、集磁効果を向上させることができる。
これに加えて、外装ケースや裏蓋が金属製の腕時計などでは、非磁性部材である風防ガラス側から電波が進入する。したがって、上記にように、文字板側に延出磁性箔材を配置することで、風防ガラスから入る電波を良好に受信することができ、アンテナの受信特性を向上させることができる。
【００１１】
さらに、本発明のアンテナ内蔵式電子時計では、前記アンテナの長手方向に沿って長手状に形成されるとともに、複数の前記磁性箔材を保持する通常保持部と、前記通常保持部の両端部から長手方向に沿って延出し、前記延出磁性箔材を保持する延出保持部とを有するアンテナ枠を備え、時計厚み方向に沿う前記アンテナ枠における厚み寸法において、前記延出保持部の厚み寸法は、前記通常保持部の厚み寸法よりも小さく形成されることが好ましい。
【００１２】
この発明によれば、アンテナ枠を設ける場合でも延出磁性箔材の両端部を保持する延出部の厚み寸法が、通常保持部に比べて小さく形成される。したがって、通常保持部を延出保持部との間に段差が生じてスペースを確保することができる。よって、このスペースに他の時計部品、例えば地板や文字板、指針の駆動機構や電池などを配置するスペースとして活用することができる。したがって、時計内のスペースを圧迫することなく、アンテナの集磁効果を向上させることができる。
【発明を実施するための最良の形態】
【００１３】
以下、本発明に係る一実施の形態について、図面に基づいて説明する。
図１は、本発明の一実施の形態に係るアンテナ内蔵式電子時計としての電波修正時計の正面図である。
【００１４】
図１において、電波修正時計１は、指針１１，１２，１３および文字板１４を備えた指針式時計（アナログ時計）であり、時刻情報を有する外部無線情報としての長波標準電波を受信して、受信した時刻情報に基づいて指針１１，１２，１３を指針位置の補正を実施可能な時計である。
この電波修正時計１は、指針１１，１２，１３と、文字板１４と、標準電波を受信するアンテナ２１および指針１１，１２，１３の駆動を制御する各種構成が組み込まれたモジュール１０（図２参照）と、これらの指針１１，１２，１３、文字板１４、モジュール１０などを内部に収納する外装ケース１００と、を備えている。
【００１５】
〔モジュールの構成〕
電波修正時計１を構成するモジュール１０を図２ないし図５に基づいて説明する。
図２は、前記実施の形態の電波修正時計を裏蓋側からみた概略構成を示す平面図である。
図３は、前記実施の形態の電波修正時計の概略構成を示すブロック図である。
図４は、前記実施の形態の電波修正時計の受信回路部の構成を示すブロック図である。
図５は、前記実施の形態の電波修正時計の厚み方向に断面した際の側断面図である。
【００１６】
モジュール１０は、平面視円形状で合成樹脂製のモジュール中枠１０１を有している。このモジュール中枠１０１（図５参照）の側面には、径方向に向かって外装ケース１００の内周面に当接する複数の突出部（図示せず）が形成され、これらの突出部は、外装ケース１００の内周面に沿って配置されている。
モジュール中枠１０１の側面で突出部が形成されていない部分においては、モジュール中枠１０１の側面の全周にわたって外装ケース１００の内周面と突出部の突出寸法分の隙間が形成されている。
そして、モジュール１０は、外装ケース１００内に収納される際、モジュール中枠１０１に設けられた各突出部が外装ケース１００の内面とそれぞれ当接することで位置が固定される。
【００１７】
また、モジュール１０には、受信ＩＣ８６、ＣＰＵ８７、基準振動子３１１（図２参照）などが取り付けられた回路基板８０（図５参照）、駆動手段４の一部を構成するモータ４１１，４２１や輪列などが組み込まれた時計体（ムーブメント）、電力供給手段７を構成する高容量二次電源（二次電池）７２などの各構成部材が組み込まれている。さらに、モジュール１０には、外装ケース１００に近接する位置に電波を受信する前記アンテナ２１が組み込まれている。
モジュール１０に組み込まれる回路基板８０には、図３に示すように、受信した電波を処理する受信手段２と、駆動制御回路部３と、指針を駆動する駆動手段４と、時刻をカウントするカウンタ部６と、が各種回路構成として設けられている。
【００１８】
受信手段２は、電波を受信するアンテナ２１と、コンデンサなどで構成されてアンテナ２１で受信する電波に同調させる同調回路部２２と、アンテナ２１で受けた情報を処理する受信回路部２３と、受信回路部２３で処理された時刻データを記憶する時刻データ記憶回路部２４とを備えて構成されている。
【００１９】
同調回路部２２は、図４に示されるように、アンテナ２１に対して並列に接続された２つのコンデンサ２２Ａ，２２Ｂを備えて構成され、一方のコンデンサ２２Ｂはスイッチ２２Ｃを介してアンテナ２１に接続されている。
そして、駆動制御回路部３から出力される周波数切替え制御信号により、前記スイッチ２２Ｃをオンまたはオフすることで、アンテナ２１で受信する電波の周波数を切り替えるように構成されている。これにより、例えば、日本国内において、送信周波数４０ｋＨｚのおおたかどや山（東日本）の標準電波出力局と、送信周波数６０ｋＨｚのはがね山（西日本）の標準電波出力局とから出力されている２種類の周波数の長波標準電波を切り替えて受信することができるように構成されている。
【００２０】
受信回路部２３は、図４に示されるように、アンテナ２１によって受信された長波標準電波信号を増幅する増幅回路２３１と、増幅された長波標準電波信号から所望の周波数成分のみを抜き出すバンドパスフィルタ２３２と、長波標準電波信号を平滑化し復調する復調回路２３３と、増幅回路２３１のゲインコントロールを行ない長波標準電波信号の受信レベルが一定になるように制御するＡＧＣ（Automatic Gain Control）回路２３４と、復調された長波標準電波信号をデコードして出力するデコード回路２３５とを備えて構成されている。
受信回路部２３で受信され信号処理された時刻データは、図３に示すように、時刻デー
タ記憶回路部２４に出力されて記憶される。
受信回路部２３は、予め設定されたスケジュールや外部入力装置８による強制受信操作などによって、駆動制御回路部３から出力される受信制御信号に基づいて時刻情報の受信を開始する。
【００２１】
駆動制御回路部３には、図３に示されるように、パルス合成回路３１からのパルス信号が入力される。パルス合成回路３１は、水晶振動子などの基準振動子３１１からの基準パルスを分周してクロックパルスを生成し、また、基準パルスからパルス幅やタイミングの異なるパルス信号を発生させる。なお、この基準振動子３１１は、ＣＰＵ８７に接続されて、回路のクロック信号となるが、周波数が長波受信周波数に近く、アンテナ２１にノイズとして信号が混入する可能性があるため、アンテナ２１から離して配置されている。
【００２２】
駆動制御回路部３は、一秒に一回出力され秒針を駆動させる秒駆動パルス信号ＰＳ１と、一分間に一回出力され時分針を駆動させる時分駆動パルス信号ＰＳ２とを、各秒駆動回路４１、時分駆動回路４２に出力して、指針の駆動を制御する。すなわち、各駆動回路４１，４２は、各駆動回路４１、４２からのパルス信号によって駆動されるステッピングモータからなる秒モータ４１１，時分モータ４２１を駆動し、これにより各モータ４１１，４２１に接続された秒針と、分針および時針とを駆動する。そして、各指針、文字板、モータ４１１，４２１、駆動回路４１，４２によって時刻を表示する時刻表示手段が構成されている。なお、時刻表示手段としては、１つのモータで、時針、分針、秒針を駆動するものでもよい。
【００２３】
カウンタ部６は、秒をカウントする秒カウンタ回路部６１と、時分をカウントする時分カウンタ回路部６２とを備えて構成されている。
秒カウンタ回路部６１は、秒位置カウンタ６１１と、秒時刻カウンタ６１２と、一致検出回路６１３とを備えて構成されている。秒位置カウンタ６１１および秒時刻カウンタ６１２はともに６０カウント、つまり１Ｈｚの信号が入力された場合には６０秒でループするカウンタである。秒位置カウンタ６１１は、駆動制御回路部３から秒駆動回路４１に供給される駆動パルス信号（秒駆動パルス信号ＰＳ１）をカウントしている。つまり、秒針を駆動させる駆動パルス信号をカウントすることによって、秒針が示している秒針の位置をカウントしている。
秒時刻カウンタ６１２は、通常は、駆動制御回路部３から出力される１Ｈｚの基準パルス信号（クロックパルス）をカウントする。また、受信手段２で時刻データを受信した場合には、この時刻データのうちの秒データに合わせてカウンタ値が修正される。
【００２４】
同様に、時分カウンタ回路部６２は、時分位置カウンタ６２１と、時分時刻カウンタ６２２と、一致検出回路６２３とを備えて構成されている。時分位置カウンタ６２１および時分時刻カウンタ６２２はともに２４時間分の信号が入力されるとループするカウンタである。時分位置カウンタ６２１は、駆動制御回路部３から時分駆動回路４２に供給される駆動パルス信号（時分駆動パルス信号ＰＳ２）をカウントし、時針、分針が示している時分針の位置をカウントしている。
時分時刻カウンタ６２２は、通常は、駆動制御回路部３から出力される１Ｈｚのクロックパルスをカウントする（正確には１Ｈｚを６０回計数したところで１カウントとする）。また、受信手段２で時刻データを受信した場合には、この時刻データのうちの時分データに合わせてカウンタ値が修正される。
【００２５】
各一致検出回路６１３，６２３は、各位置カウンタ６１１，６２１と各時刻カウンタ６１２，６２２とのカウント値の一致を検出し、一致しているか否かを示す検出信号を駆動制御回路部３に出力する。
駆動制御回路部３は、各一致検出回路６１３，６２３から不一致信号が入力されると、一致信号が入力されるまで各駆動パルス信号ＰＳ１，ＰＳ２を出力し続ける。このため、通常運針時は、駆動制御回路部３から１Ｈｚの基準信号によって各時刻カウンタ６１２，６２２のカウンタ値が変化して位置カウンタ６１１，６２１と不一致となると、各駆動パルス信号ＰＳ１，ＰＳ２が出力されて各指針が動くとともに、各位置カウンタ６１１，６２１が時刻カウンタ６１２，６２２と一致することになり、この動作を繰り返すことで、通常の運針制御が行われる。
また、受信した時刻データで各時刻カウンタ６１２，６２２が修正されると、そのカウンタ値に各位置カウンタ６１１，６２１のカウンタ値が一致するまで、各駆動パルス信号ＰＳ１，ＰＳ２が出力され続け、指針が早送りされて正しい時刻に修正される。
【００２６】
電力供給手段７は、自動巻発電機や太陽電池（ソーラー発電機）などによって構成された発電手段としての発電装置７１と、発電装置７１で発電された電力を蓄電する高容量二次電源７２とを備えて構成されている。高容量二次電源７２は、リチウムイオン電池のような二次電池が利用できる。なお、電力供給手段７としては、銀電池などの一次電池を用いてもよい。また、高容量二次電源７２は、ステンレス製のケースで構成されており、アンテナ特性への影響を抑えるため、図２に示すように、モジュール１０内においてアンテナ２１から離れた時計の３時方向の位置に配置されている。
【００２７】
外部入力手段としての外部入力装置８は、リュウズなどを備え、受信動作や時刻合わせなどを行うために利用される。
【００２８】
（アンテナの構成）
図６は、電波修正時計１におけるアンテナ２１近傍の断面を拡大した拡大断面図である。
アンテナ２１は、磁性体コア２１１と、磁性体コア２１１に巻装されるコイル２１２と、磁性体コア２１１を保持するアンテナ枠２１３と、により構成されている。
また、アンテナ２１は、図２に示すように、平面形状が外装ケース１００の胴部を構成するケーシング１１０の内周とほぼ同心円の円弧長手状に形成されており、モジュール中枠１０１の内側面に沿って時計の９時方向の位置に配置されている。この際、アンテナ２１は、ケーシング１１０に対して平面方向に例えば数mm程度の間隔を空けて配置される（図５参照）。
【００２９】
磁性体コア２１１は、アンテナ２１の長手方向に沿って長手状に形成されている。この磁性体コア２１１は、略中心部にコイル２１２が巻装されるコイル巻部２１１Ａと、コイル巻部２１１Ａの両端側から延出する２箇所のリード部２１１Ｂとを備えている。
この磁性体コア２１１は、例えば、磁性箔材としてのコバルト系のアモルファス箔２１４（例；Ｃｏ５０ｗｔ％以上のアモルファス箔）を型で打ち抜くか、エッチングで成形したものを１０〜３０枚程接着して重ね合わせ、焼鈍などの熱処理を行って磁気特性を安定化させたものである。すなわち、磁性体コア２１１は、平面状のアモルファス箔を時計の厚み方向に積層して構成されている。なお、磁性体コア２１１としては、積層アモルファス箔に限定されず、フェライトを用いてもよく、この場合には、型などで成形し、熱処理して製造すればよい。
【００３０】
図７は、磁性体コア２１１を形成する通常アモルファス箔２１４Ａおよび延出アモルファス箔２１４Ｂの平面図である。
この図７に示すように、磁性体コア２１１は、長手方向の長さの異なる２種類のアモルファス箔２１４により形成される。すなわち、磁性体コア２１１は、長手方向の長さが短い通常アモルファス箔２１４Ａと、この通常アモルファス箔２１４Ａよりも長手方向に長く形成される延出アモルファス箔２１４Ｂと、が積層されることで形成される。具体的には、通常アモルファス箔２１４Ａは、コイル巻形成部２１４Ａ１と、このコイル巻形成部２１４Ａ１の両端側から長手方向に沿って延出するリード形成部２１４Ａ２を備えている。同様に、延出アモルファス箔２１４Ｂは、コイル巻形成部２１４Ｂ１と、このコイル巻形成部２１４Ｂ１の両端側から長手方向に沿って延出するリード形成部２１４Ｂ２を備えている。ここで、コイル巻形成部２１４Ａ１およびコイル巻形成部２１４Ｂ１は、長手方向の長さ寸法が同一寸法に形成され、これらのコイル巻形成部２１４Ａ１およびコイル巻形成部２１４Ｂ１が積層されることでコイル巻部２１１Ａが形成される。一方、延出アモルファス箔２１４Ｂの一対のリード形成部２１４Ｂ２は、通常アモルファス箔２１４Ａの一対のリード形成部２１４Ａ２よりも長さ寸法が長く形成されている。そして、これらのリード形成部２１４Ａ２およびリード形成部２１４Ｂ２が積層されることで、延出アモルファス箔２１１Ｂのリード形成部２１４Ｂ２のみが長手方向に沿って延出したリード部２１１Ｂが形成される。
そして、磁性体コア２１１は、電波修正時計１の厚み方向に対して、文字板１４側に延出アモルファス箔２１４Ｂを配置し、裏蓋１４０側に通常アモルファス箔２１４Ａを積層する状態に形成される。
【００３１】
アンテナ枠２１３は、文字板１４側の面に磁性体コア２１１を保持する凹状のコア保持凹部２１５が形成される略容器状部材である。このアンテナ枠２１３は、例えばプラスチックなどの非導電性の非磁性部材により形成される。そして、このアンテナ枠２１３は、コア保持凹部２１５の凹部が文字板１４側に対向するように、例えばねじ止めなど各種固定方法により地板１０Ａに固定される。
【００３２】
より具体的には、アンテナ枠２１３は、通常アモルファス箔２１４Ａの形状に対応する通常保持部としての胴体枠２１３Ａと、延出アモルファス箔２１４Ｂの形状に対応して通常アモルファス箔２１４Ａの文字板１４側の端部からリード部２１１Ｂの延出方向に突出する延出保持部としての延出枠２１３Ｂとを備えている。ここで、これら胴体枠２１３Ａおよび延出枠２１３Ｂにより形成される段差部２１３Ｃには、図８に示すように、指針１１，１２，１３を駆動させるための駆動輪列１０Ｂが配置されている。図８は、アンテナ２１の一端部をさらに拡大した拡大図である。
そして、アンテナ枠２１３には、胴体枠２１３Ａに通常アモルファス箔２１４Ａを保持するとともにコア保持凹部２１５を構成する通常箔材保持凹部２１５Ａが形成され、延出枠２１３Ｂに延出アモルファス箔２１４Ｂの端部を保持するとともに、前記通常箔材保持凹部２１５Ａとともにコア保持凹部２１５を構成する延出箔材保持凹部２１５Ｂが形成されている。
ここで、通常箔材保持凹部２１５Ａは、通常アモルファス箔２１４Ａに対応した形状に形成されている。一方、延出箔材保持凹部２１５Ｂは、延出アモルファス箔２１４Ｂの両端部を保持可能な形状に形成されている。そして、この延出箔材保持凹部２１５Ｂには、延出アモルファス箔２１４Ｂのリード形成部２１４Ｂ２の延出先端側が、接着固定される。この時、延出アモルファス箔２１４Ｂは、延出箔材保持凹部２１５Ｂの底面２１５Ｄとの間に接着剤により形成される接着層を介して接着固定される。すなわち、延出アモルファス箔２１４Ｂの厚み寸法が非常に小さく、リード部２１１Ｂに対向する延出部分の積層数も小さいため、例えば衝撃などが加わった際に応力が延出アモルファス箔２１４Ｂに加わると破損しやすい。これに対して、上記のように、所定弾性力を有する接着層を形成することで、延出アモルファス箔２１４Ｂに直接加わる衝撃を緩衝することができる。
【００３３】
そして、アンテナ枠２１３は、通常箔材保持凹部２１５Ａおよび延出箔材保持凹部２１５Ｂに磁性体コア２１１を保持した状態で、例えば接着剤により磁性体コア２１１が固定されて一体化される。そして、この磁性体コア２１１が固定されたアンテナ枠２１３の、コイル巻部２１１Ａに対向する部分にコイル２１２が巻装されることでアンテナ２１が形成される。
【００３４】
コイル２１２は、長波標準電波（４０〜７７．５ｋＨｚ）を受信する場合は、１０ｍＨ程度のインダクタンス値が必要となる。このため、本実施形態では、コイル２１２として直径０．１μｍ程度のウレメット線を数百ターンほど巻いて構成している。そして、このコイル２１２は、上記したように、磁性体コア２１１が固定されたアンテナ枠２１３の、コイル巻部２１１Ａに対応する周面に周方向に沿って巻装されている。
【００３５】
また、アンテナ２１と受信ＩＣ８６とは２本の配線で接続されている。すなわち、コイル２１２をアンテナ端部から取り出して回路基板８０にはんだ付けすることにより、アンテナ２１と受信ＩＣ８６とは電気的に接続されている。これにより、アンテナ２１で受信された標準電波が受信手段２に出力可能となる。なお、前記電気的接続は、アンテナ２１にポリイミドなどからなるフレキシブル基板を取り付け、この基板を回路基板８０にネジ留めすることなどで行ってもよい。
【００３６】
〔外装ケースの構成〕
次に、電波修正時計１の外装ケース１００の構成について説明する。
外装ケース１００は、図２および図５に示すように、胴部としてのケーシング１１０と、ケーシング１１０の表面側に装着された風防ガラス１２０と、ケーシング１１０の裏面（下端面）側に着脱可能に取り付けられた金属製の裏蓋１４０とを備えている。ケーシング１１０は、例えばステンレス鋼、真鍮、チタンなどの金属材で構成されている。このケーシング１１０は、略円筒状に形成され、内周面が平面略円形に形成されている。なお、裏蓋１４０やケーシング１１０には、アンテナ２１で電波を受信することで発生する副磁路による渦電流を防止するための磁性部材が設けられる構成などとしてもよい。
【００３７】
〔電波修正時計の作用効果〕
上述したように、上記実施の形態の電波修正時計１では、アンテナ２１は、磁性体コア２１１と、コイル２１２と、アンテナ枠２１３とにより構成されている。そして、磁性体コア２１１は、複数のアモルファス箔２１４を積層することにより形成され、これらのアモルファス箔２１４のうち一部は、他よりもリード部２１１Ｂが延出した延出アモルファス箔２１４Ｂにより構成されている。
このため、この延出アモルファス箔２１４Ｂの延出面積の分だけ、磁束線を多く集めることができ、アンテナ２１における集磁効果を向上させることができる。また、延出アモルファス箔２１４Ｂの一端部にて集められた磁束線は、この延出アモルファス２１４Ｂの内部を通過して、延出アモルファス箔２１４Ｂの他端部から放出されることで、磁束線を良好に導くことができる。したがって、より良好なアンテナ受信感度が得られ、アンテナ特性をより向上させることができる。
さらに、延出アモルファス箔２１４Ｂのみがリード部２１１Ｂから延出する構成であるため、スペースを圧迫することがなく、駆動輪列１０Ｂがアンテナ２１の近傍に設けられる場合でも、十分なスペースに駆動輪列１０Ｂを配置することができる。すなわち、腕時計などの限られたスペース間にアンテナ２１やその他の構成部材を配置する必要がある場合でも、スペースの制約を受けずに、良好な集磁効果によりアンテナ特性を高めることができる。
【００３８】
そして、磁性体コア２１１は、文字板１４側に延出アモルファス箔２１４Ｂが配置され、時計厚み方向に沿って裏蓋１４０側に通常アモルファス箔２１４Ａが積層されることで形成されている。このため、文字板１４側から入る電波を面積の大きい延出アモルファス箔２１４Ｂにより良好に受信することができ、アンテナの受信感度を向上させることができる。
また、裏蓋１４０側に配置される駆動輪列１０Ｂなどが配置される位置よりも文字板１４側に、延出アモルファス箔２１４Ｂが配置されるため、これら駆動輪列１０Ｂの配置が規制されず、省スペース化に対応することができる。
【００３９】
また、アンテナ枠２１３は、通常アモルファス箔２１４Ａが積層される通常箔材保持凹部２１５Ａが形成される胴体枠２１３Ａと、延出アモルファス箔２１４Ｂが設置される延出箔材保持凹部２１５Ｂが形成される延出枠２１３Ｂとを備え、延出枠２１３Ｂは、胴体枠２１３Ａの文字板１４側端部からリード部２１１Ｂの延出方向に延出形成されている。
すなわち、胴体枠２１３Ａと延出枠２１３Ｂとの間には段差部２１３Ｃが設けられ、この段差部２１３Ｃにスペースを確保することができる。したがって、このスペースに駆動輪列１０Ｂやその他、電子回路部などの他の時計部品を配置することができる。よって、アンテナ２１により時計内部のスペースが制約されず、十分なスペースを形成することができる。
【００４０】
さらに、延出アモルファス箔２１４Ｂのリード形成部２１５Ｂ２の先端側は、延出箔材保持凹部２１５Ｂの底面２１５Ｄに接着層を介して接着固定される。このため、電波修正時計１に衝撃などが加わった際に、アンテナ枠２１３から延出アモルファス箔２１４Ｂに加わる応力を、接着層の弾性力により小さくすることができ、延出アモルファス箔２１４Ｂの破損を防止することができる。
【００４１】
［他の実施の形態］
なお、本発明は前述の実施形態に限定されるものではなく、本発明の目的を達成できる範囲での変形、改良などは本発明に含まれるものである。
【００４２】
例えば、延出枠２１３Ｂにおいて、延出アモルファス箔２１４Ｂと、延出箔材保持凹部２１５Ｂの底面２１５Ｄとの間に、一様の寸法の隙間を形成したが、例えば図９に示すような構成としてもよい。すなわち、図９に示すように、延出箔材保持凹部２１５Ｂの一端部から他端部に向かって延出アモルファス箔２１４Ｂが傾斜して配置される構成などとしてもよい。このような構成でも、上記実施の形態と同様に、延出アモルファス箔２１４Ｂの破損を防止することができる。
【００４３】
また、図１０に示すように、延出枠２１３Ｂは、延出箔材保持凹部２１５Ｂの端部に、延出アモルファス箔２１４Ｂのリード形成部２１４Ｂ２の延出先端部を固定する固定段差部２１５Ｃが形成される構成としてもよい。この場合でも、固定段差部２１５Ｃに保持されていない部位には、延出箔材保持凹部２１５Ｂの底面２１５Ｄとの間に接着層が介装され、衝撃などの応力を良好に緩衝することができ、延出アモルファス箔２１４Ｂの破損を防止できる。また、固定段差部２１５Ｂに延出アモルファス箔２１５Ｂの先端部を固定できるため、延出アモルファス箔２１５Ｂを確実に延出枠２１３Ｂに固定できるとともに、固定作業が容易になる。
【００４４】
また、上記実施の形態において、磁性体コア２１１は、文字板１４側に延出アモルファス箔２１４Ｂを配置し、裏蓋１４０側に向かって通常アモルファス箔２１４Ａを積層する構成を示したが、これに限定されない。例えば、裏蓋１４０がガラスなどの非磁性部材により形成される場合では、裏蓋１４０側からも標準電波が時計内部に侵入するため、延出アモルファス箔２１４Ｂを裏蓋１４０側に配置する構成としてもよい。
【００４５】
さらには、上記実施の形態では、磁性体コア２１１において、延出アモルファス箔２１４Ｂが１枚のみ配置される例を示したが、例えば、２枚以上の複数の延出アモルファス箔２１４Ｂが積層され、続いて通常アモルファス箔２１４Ａが積層される構成などとしてもよい。
【００４６】
また、上記実施の形態では、図８に示すように、アンテナ枠２１３の段差部２１３Ｃに駆動輪列１０Ｂが設けられる構成を示したが、これに限定されず、例えば、電波修正時計１を構成する回路ブロックや、電気素子など、他の時計部品が配置される構成などとしてもよい。
【００４７】
さらに、上記実施の形態では、延出アモルファス箔２１４Ｂの一対のリード形成部２１４Ｂ２の双方が、通常アモルファス箔２１４Ａの一対のリード形成部２１４Ａ２よりも長手方向に沿う長さ寸法が長く形成される例を示したが、これに限定されない。例えば、延出アモルファス箔２１４Ｂの一対のリード形成部２１４Ｂ２のうち、いずれか一方のみが通常アモルファス箔２１４Ａのリード形成部２１４Ａ２よりも長さ寸法が大きく形成され、他方は、リード形成部２１４Ａ２と同一長さ寸法に形成される構成としてもよい。すなわち、延出アモルファス箔２１４Ａは、電波修正時計１内の他部品の配置位置などにより、リード形成部２１４Ｂ２の一部のみが延出される構成とすることができ、このような構成により十分に集磁効果を向上させることができる。
【００４８】
その他、本発明の実施の際の具体的な構造および手順は、本発明の目的を達成できる範囲で他の構造などに適宜変更できる。
【図面の簡単な説明】
【００４９】
【図１】本発明の一実施の形態に係るアンテナ内蔵式電子時計としての電波修正時計の正面図である。
【図２】前記実施の形態の電波修正時計を裏蓋側からみた概略構成を示す平面図である。
【図３】前記実施の形態の電波修正時計の概略構成を示すブロック図である。
【図４】前記実施の形態の電波修正時計の受信回路部の構成を示すブロック図である。
【図５】前記実施の形態の電波修正時計の厚み方向に断面した際の側断面図である。
【図６】前記実施の形態の電波修正時計におけるアンテナ近傍の断面を拡大した拡大断面図である。
【図７】前記実施の形態の電波修正時計の磁性体コアを形成する通常アモルファス箔および延出アモルファス箔の平面図である。
【図８】前記実施の形態の電波修正時計におけるアンテナの一端部をさらに拡大した拡大図である。
【図９】他の実施の形態のアンテナの一端部を拡大した拡大図である。
【図１０】さらに他の実施の形態のアンテナの一端部を拡大した拡大図である。
【符号の説明】
【００５０】
１…アンテナ内蔵式電子時計としての電波修正時計、２…受信手段、１０…モジュール、１４…文字板、２１…アンテナ、１２０…風防ガラス、２１１…磁性体コア、２１１Ａ…コイル巻部、２１１Ｂ…リード部、２１２…コイル、２１３…アンテナ枠、２１３Ａ…通常保持部としての胴体枠、２１３Ｂ…延出保持部としての延出枠、２１４Ｂ…延出磁性箔材としての延出アモルファス箔。
【図１】
2009250947.tif 000003
【図２】
2009250947.tif 000004
【図３】
2009250947.tif 000005
【図４】
2009250947.tif 000006
【図５】
2009250947.tif 000007
【図６】
2009250947.tif 000008
【図７】
2009250947.tif 000009
【図８】
2009250947.tif 000010
【図９】
2009250947.tif 000011
【図１０】
2009250947.tif 000012